(57)【特許請求の範囲】
【請求項１】
筒状の口部に複数のステムが立設された容器本体と、
前記複数のステムに取付けられ、該ステムの押下げによって該ステムから流入する内容物を吐出可能なノズルと、
前記口部に固定された固定盤と、
前記固定盤に対して上方からねじ係合により取り付けられるキャップと、
前記固定盤に上方へ取外し可能に上方から取付けられ、前記ノズルを前記口部の周方向に囲むカバーと、を備え、
前記キャップは、前記カバーに対して、前記口部の中心軸線周りに回転可能であり、且つ下方向への相対変位が規制されており、
前記固定盤及び前記カバーの一方は、周方向に局所的に設けた凸部を備え、
前記固定盤及び前記カバーの他方は、周方向に局所的に設けられ前記凸部が上方から嵌合可能な凹部を備え、
前記凸部が前記凹部に嵌合しているとき、前記キャップのねじ部が前記固定盤のねじ部に対してねじ係合可能であり、
前記凸部が前記凹部に嵌合していないとき、前記キャップのねじ部が前記固定盤のねじ部に対して上方向に離間してねじ係合不能となることを特徴とする吐出容器。
【請求項２】
前記固定盤及び前記カバーの一方は、前記口部の中心軸線の周りに対称な２つの前記凸部を備え、
前記固定盤及び前記カバーの他方は、前記口部の中心軸線の周りに対称な２つの前記凹部を備え、
前記カバーは、前記固定盤に対し、前記口部の中心軸線の周りに１８０°回転させた２つの回転位置のいずれでも取付け可能に構成されている、請求項１に記載の吐出容器。
【請求項３】
前記凸部は、前記固定盤及び前記カバーの一方の側面に設けた上下方向に延びるリブであり、前記凹部は、前記固定盤及び前記カバーの他方に設けられ前記リブが上方から嵌合可能な開孔である、請求項１又は２に記載の吐出容器。
【請求項４】
前記カバーは、鉛直方向に延びる円筒形状の筒壁部、及び該筒壁部から外周方向に突出する突出部を有し、前記キャップの天壁に設けられた開口に前記筒壁部の外周面が緩合し、前記突出部の上面が前記天壁の下面に当接することによって、前記キャップの前記カバーに対する下方向への相対変位が規制される、請求項１乃至３のいずれか一項に記載の吐出容器。
【請求項５】
前記キャップの外周面に、縦目ローレットの凹凸が形成されている、請求項１乃至４のいずれか一項に記載の吐出容器。
【発明の詳細な説明】
【技術分野】
【０００１】
本発明は、筒状の口部に複数のステムが立設された容器本体内の内容物を、複数のステムに取付けられるノズルから吐出する吐出容器に関する。
【背景技術】
【０００２】
従来、例えば特許文献１に記載されるように、筒状の口部に複数のステムが立設された容器本体と、複数のステムに取付けられ、該ステムの押下げによって該ステムから流入する内容物を吐出可能なノズルと、口部に固定された固定盤と、固定盤に上方へ取外し可能に上方から取付けられ、ノズルを口部の周方向に囲むカバーと、を備える吐出容器が知られている。
【先行技術文献】
【特許文献】
【０００３】
【特許文献１】特開２０１５−８５９８１号公報
【発明の概要】
【発明が解決しようとする課題】
【０００４】
このような吐出容器は、通常、吐出容器全体が略円筒形状をなすように構成されるため、ノズルやカバーの洗浄などのために使用者がカバーを取外す際に、使用者がカバーを上方に取外すべきであることを認識できないと、カバーを口部の周方向にねじって取外そうとし、ステムなどの部位で容器本体を破損してしまうおそれがあった。
【０００５】
本発明は、このような問題を解決するために開発されたもので、ノズル等を容器本体から取り外す際の破損の発生を抑制することができる吐出容器を提供することを目的とする。
【課題を解決するための手段】
【０００６】
本発明の吐出容器は、筒状の口部に複数のステムが立設された容器本体と、
前記複数のステムに取付けられ、該ステムの押下げによって該ステムから流入する内容物を吐出可能なノズルと、
前記口部に固定された固定盤と、
前記固定盤に対して上方からねじ係合により取り付けられるキャップと、
前記固定盤に上方へ取外し可能に上方から取付けられ、前記ノズルを前記口部の周方向に囲むカバーと、を備え、
前記キャップは、前記カバーに対して、前記口部の中心軸線周りに回転可能であり、且つ下方向への相対変位が規制されており、
前記固定盤及び前記カバーの一方は、周方向に局所的に設けた凸部を備え、
前記固定盤及び前記カバーの他方は、周方向に局所的に設けられ前記凸部が上方から嵌合可能な凹部を備え、
前記凸部が前記凹部に嵌合しているとき、前記キャップのねじ部が前記固定盤のねじ部に対してねじ係合可能であり、
前記凸部が前記凹部に嵌合していないとき、前記キャップのねじ部が前記固定盤のねじ部に対して上方向に離間してねじ係合不能となることを特徴とする。
【０００７】
また、本発明の吐出容器では、前記固定盤及び前記カバーの一方は、前記口部の中心軸線の周りに対称な２つの前記凸部を備え、
前記固定盤及び前記カバーの他方は、前記口部の中心軸線の周りに対称な２つの前記凹部を備え、
前記カバーは、前記固定盤に対し、前記口部の中心軸線の周りに１８０°回転させた２つの回転位置のいずれでも取付け可能に構成されていることが好ましい。
【０００８】
また、本発明の吐出容器では、前記凸部は、前記固定盤及び前記カバーの一方の側面に設けた上下方向に延びるリブであり、前記凹部は、前記固定盤及び前記カバーの他方に設けられ前記リブが上方から嵌合可能な開孔であることが好ましい。
【０００９】
また、本発明の吐出容器では、前記カバーは、鉛直方向に延びる円筒形状の筒壁部、及び該筒壁部から外周方向に突出する突出部を有し、前記キャップの天壁に設けられた開口に前記筒壁部の外周面が緩合し、前記突出部の上面が前記天壁の下面に当接することによって、前記キャップの前記カバーに対する下方向への相対変位が規制されることが好ましい。
【００１０】
また、本発明の吐出容器では、前記キャップの外周面に、縦目ローレットの凹凸が形成されていることが好ましい。
【発明の効果】
【００１１】
本発明の吐出容器によれば、ノズル等を容器本体から取り外す際の破損の発生を抑制することができる。
【図面の簡単な説明】
【００１２】
【図１】本発明の一実施形態に係る吐出容器の平面図である。
【図２】図１の吐出容器の一部断面正面図である。
【図３】図１の吐出容器の一部断面右側面図である。
【図４】図１の吐出容器に用いられる固定盤の平面図である。
【図５】図１の吐出容器の右側面図である。
【図６】図１の吐出容器において、カバーのリブが固定盤の開孔に嵌合していない状態を示す図である。
【図７】図１の吐出容器において、カバーのリブが固定盤の開孔に嵌合している状態を示す図である。
【発明を実施するための形態】
【００１３】
以下、図１〜図７を参照して、本発明の一実施形態に係る吐出容器１について詳細に例示説明する。
【００１４】
なお、本明細書において、上下方向とは、図２及び図３において、容器本体１０の筒状の口部１１の中心軸線Ｏに沿う方向を意味し、上方は容器本体１０から見てステム１３が位置する側（図３の上方）であり、下方はその反対側である。また、前後方向とは、ノズル２０の吐出筒部２３の中心軸線に沿う方向を意味し、前方とはノズル２０から見て吐出口２２が位置する側（図３の左側）であり、後方とはその反対側である。さらに、左右方向とは、前方から後方に向かって見たときの左右方向を意味する。
【００１５】
図１〜図３に示すように、本実施形態に係る吐出容器１は、容器本体１０と、ノズル２０と、固定盤３０と、カバー４０と、押下げレバー５０と、キャップ６０とを備えている。
【００１６】
容器本体１０は、有頂円筒状の口部１１と、口部１１に連なるとともに口部１１よりも拡径された円筒状の胴部１２と、胴部１２の下端を閉塞する底部（図示省略）と、を備えるボトル状をなしている。
【００１７】
容器本体１０は、互いに種類の異なる内容物を収容した２つの内袋を収容している。これらの内袋には、口部１１に立設された２本のステム１３が１本ずつ割当てられている。本実施形態では、容器本体１０は、内容物を外部へ吐出するための圧力を発生させる圧縮ガスなどの噴射剤を収容し、ステム１３の押下げにより弁を開いてステム１３の先端から内容物を流出させるエアゾール容器として構成されている。
【００１８】
なお、容器本体１０は、エアゾール容器に限らず、例えば、ステム１３の押下げ及び復帰の繰り返しによって内容物を吸い上げステム１３の先端から流出させることができるポンプ機構を備えるポンプ容器として構成してもよい。また、２つの内袋に収容する内容物は必ずしも互いに異なる種類である必要はなく、同一の内容物を収容してもよい。その場合、１つの内袋に２本のステム１３を割当ててもよい。
【００１９】
２本のステム１３には、ノズル２０が取付けられている。ノズル２０は、２本のステム１３に着脱可能に取付けられる基部２１と、該基部２１から口部１１の径方向外側（前方）に突出し、先端に内容物の吐出口２２を有する吐出筒部２３と、を備えている。ノズル２０は、２本のステム１３の押下げによって該ステム１３から流入する内容物を基部２１及び吐出筒部２３の内部を通じて吐出口２２から吐出することができる。
【００２０】
口部１１には、例えば合成樹脂製となる固定盤３０が固定されている。固定盤３０は、口部１１に周設された円環状の環状凸部１１ａに外周側から被さる円筒状をなし、該環状凸部１１ａに突部３１ｂがアンダーカット係合しつつ嵌合する側壁３１を備えている。より具体的には、固定盤３０は、図１に示すように、側壁３１の上端に設けられている段部３４の下面に環状凸部１１ａの上面が当接すると共に、側壁３１の内周面に設けられている突部３１ｂが環状凸部１１ａの下側面にアンダーカット係合することによって口部１１に固定されている。なお、本実施形態では、環状凸部１１ａは、例えば、金属製や合成樹脂製となる有底円筒状の外容器に金属製となるマウンティングカップの外縁を巻締め等によって固着することで形成されている。なお、口部１１は、円筒形状に限定されるものではなく、例えば、多角柱等の他の様々な形状としてもよい。
【００２１】
この円筒状をなす側壁３１の下方には、容器本体１０の肩部を覆う肩部ホルダ３３が連なっている。また、側壁３１の外周面には、雄ねじ部３１ａが設けられており、後述するキャップ６０の筒壁６１の内周面に設けられている雌ねじ部６１ａとねじ係合可能に構成されている。
【００２２】
側壁３１の上端からは、図２に示すように、段部３４を介して更に上方に上側壁３５が延びている。上側壁３５は、口部１１の外形に沿うように側壁３１よりもやや小さな外径を有している。上側壁３５は、その上端において天壁３８と連なっており、天壁３８には、図４に示すように、ステム１３に対応する位置にステム孔３６が２箇所設けられている。また、天壁３８の外周端から上側壁３５にかけて、周上の対向する２箇所において、開孔３７が設けられている。開孔３７は、後述するカバー４０に設けられているリブ４１ｂが上方から嵌合可能に構成されている。
【００２３】
固定盤３０の側壁３１の外周側には、キャップ６０が配設されている。キャップ６０は、円筒形状を有する筒壁６１を有しており、筒壁６１の内周面には、固定盤３０の雄ねじ部３１ａとねじ係合可能な雌ねじ部６１ａが設けられている。また、筒壁６１の上端は、天壁６３に連なっている。天壁６３の中央には、開口６３ａが設けられており、開口６３ａには、後述するカバー４０の筒壁部４１が緩合している。
【００２４】
キャップ６０の外周面には、図５に示すように縦目ローレット６５が全周に亘って設けられている。このように上下方向に延びる縦目ローレット６５をキャップ６０の外周面に設けることによって、利用者がキャップ６０を周方向に回してキャップ６０と固定盤３０とのねじ係合を外す場合に、手を滑らせることなく作業を行うことができる。また、利用者は、通常、縦目ローレット６５を回転方向の滑り防止手段であると理解するため、縦目ローレット６５の存在によってキャップ６０を回して吐出容器１を分解可能であることを容易に理解することができる。
【００２５】
カバー４０は、例えば合成樹脂によって形成され、固定盤３０に対してキャップ６０と共に上方から取付けられて、上方へ取外し可能である。カバー４０は、口部１１を囲む円筒状の筒壁部４１と、該筒壁部４１の上方に連なりノズル２０を口部１１の周方向に囲む包囲壁部４２と、を備えている。
【００２６】
カバー４０の筒壁部４１の内周面には、図３に示すように、上下方向に延びるリブ４１ｂが円周上の対向する２箇所に設けられている。リブ４１ｂは、カバー４０と固定盤３０との周方向の位置合わせの為に設けられている。先述のようにリブ４１ｂが固定盤３０の天壁３８の円周上２箇所に設けられている開孔３７に嵌合することによってカバー４０と固定盤３０との周方向の位置合わせが行われる。本実施形態では、図３に示すように、ノズル２０の吐出筒部２３の中心軸線に沿う前後方向の２箇所にリブ４１ｂが対向して設けられている。このリブ４１ｂを図４に示す２箇所の開孔３７に嵌合することによって、カバー４０内に収容された押下げレバー５０、ノズル２０等が容器本体１０のステム１３に対して正しく方向付けされる。なお、本実施形態の容器本体１０は、２本のステム１３が対称な形状を有する為、カバー４０、該カバー４０に保持された押下げレバー５０、及びノズル２０は、固定盤３０及び２つのステム１３に対し、口部１１の中心軸線Ｏの周りに１８０°回転させた２つの回転位置のいずれでも取付けることができるように構成されていればよい。従って、上記の態様には限定されず、例えば、リブ４１ｂが１箇所にのみ設けられ、リブ４１ｂが２箇所に設けられた開孔３７のいずれかに嵌合するように構成されていてもよい。また、リブ４１ｂ及び開孔３７が１箇所のみに設けられ、中心軸線Ｏ周りの１つの回転位置においてのみカバー４０等を固定盤３０に取付可能に構成してもよい。結局のところ、容器本体１０にステムが２本設けられている場合には、中心軸線Ｏ周りに１８０°回転させた２つの回転位置においてカバー４０等を固定盤３０に取付可能とするか、又は１つの回転位置においてのみカバー４０等を固定盤３０に取付可能とするかのいずれかを選択することになる。従って、上記のいずれかの取付ができるように、リブ４１ｂ及び開孔３７が配置されていればよい。また、ステム１３が、周上の３箇所に１２０°おきに配置されている場合には、リブ４１ｂが、１２０°おきに３箇所設けられた開孔３７に、３つの回転位置のいずれでも取り付けることができるように構成するなどしてもよい。
【００２７】
カバー４０の筒壁部４１の下端には、外周方向に突出する突出部４３が設けられている。図２及び図３に示すように、カバー４０の突出部４３の上面がキャップ６０の天壁６３の下面に当接する。従って、突出部４３によって、キャップ６０の下方への変位が規制されている。また、天壁６３の上方における筒壁部４１の外周面には係合突部４１ａが設けられている。係合突部４１ａは、筒壁部４１を天壁６３の開口６３ａに下方から挿入したときに、天壁６３の上面にアンダーカット係合し容易に外れないように、上方に向けて縮径するように構成されている。なお、天壁６３に設けられた開口６３ａの内径は、筒壁部４１の外径にくらべてやや大きく構成されているため、キャップ６０は、突出部４３及び係合突部４１ａによってカバー４０に対する上下方向への相対変位を規制される一方、カバー４０に対して中心軸線Ｏ周りに回動可能とされている。
【００２８】
カバー４０の包囲壁部４２は、ノズル２０の基部２１を口部１１の周方向に囲むとともに吐出口２２を外方に突出させる収容凹部４２ａを区画形成している。
【００２９】
収容凹部４２ａには、ノズル２０の上方に、例えば合成樹脂製となる押下げレバー５０が取付けられている。押下げレバー５０は、包囲壁部４２にアンダーカット形状を介して嵌合することで固定されたレバー支持部５１と、レバー支持部５１に前端がヒンジ５２を介して連結された押下げ操作部５３と、を備えている。押下げ操作部５３は、その下面に当接突起５３ａを有し、押下げ操作部５３を押下げることで当接突起５３ａを介してノズル２０の基部２１の上面を下方へ押圧し、それにより、ステム１３を押し下げて内容物を吐出できるように構成されている。
【００３０】
このように構成された吐出容器１は、以下の操作によって使用することができる。まず、利用者が、後方に突出する押下げレバー５０の押下げ操作部５３を下方に向けて押下すると、押下げレバー５０の下面に設けられた当接突起５３ａがノズル２０の基部２１の上面を押下する。この操作によって、ノズル２０も下方に変位し、更にステム１３を押下する。これによって、ステム１３から流入孔２５ｂを通じてノズル２０内に流入する内容物を、基部２１及び吐出筒部２３の内部空間を経由して吐出口２２から吐出することができる。
【００３１】
また、このように構成された吐出容器１は、ノズル２０やカバー４０の洗浄などのために、以下の要領でカバー４０を取外すことができる。まず、吐出容器１は、略円筒形状を有することから、利用者は、部材を回転させることによってカバー４０を取り外すことができるものと理解する。特に本実施形態では、キャップ６０の外周面に縦目ローレット６５を設けているので、利用者は、キャップ６０を周方向に回転させることによってカバー４０を取り外すことができるものと容易に理解することができる。利用者は、キャップ６０を中心軸線Ｏ周りに回転させて、キャップ６０と固定盤３０とのねじ係合を外す。ねじ係合を外す過程でキャップ６０が固定盤３０に対して上方に変位するため、突出部４３と係合突部４１ａとの間で上下方向への変位を規制されているカバー４０もキャップ６０と共に上方に変位する。カバー４０が上方に変位する過程でカバー４０の底部４５（図３参照）がノズル２０の底部２５に当接する。更にカバー４０を上方に持ち上げると、カバー４０の底部４５がノズル２０の底部２５を上方に持ち上げ、ノズル２０の凹部２５ａがステム１３から引き抜かれる。キャップ６０と固定盤３０とのねじ係合が完全に外れたところでカバー４０を更に上方に持ち上げると、ノズル２０及び押下げレバー５０と共にカバー４０を固定盤３０から取り外すことができる。
【００３２】
本実施形態では、カバー４０の取外しに際しては、ノズル２０は、カバー４０の包囲壁部４２の収容凹部４２ａ内に保持したままカバー４０とともに取外すことができる。また、カバー４０及び該カバー４０に保持されたノズル２０は、固定盤３０及び２つのステム１３に対し、口部１１の中心軸線Ｏの周りに１８０°回転させた２つの回転位置のいずれでも取付けることができる。
【００３３】
利用者は、ノズル２０やカバー４０の洗浄を行った後、以下の要領でカバー４０を図２及び図３に示す使用時の状態に戻すことができる。まず、カバー４０が完全に固定盤３０から外れた図６の状態において、利用者は、カバー４０に設けられた２箇所のリブ４１ｂが、固定盤３０の天壁３８に設けられた開孔３７内に挿入可能となるように、カバー４０の周方向の位置合わせを行う。なお、リブ４１ｂと開孔３７との周方向の位置合わせが行われていない時は、図６に示すように、リブ４１ｂの下端と天壁３８の上面が当接するため、カバー４０を下方に移動させることができない。そして、この状態では、図６に示すようにノズル２０の最下面がステム１３の上端よりも上方に位置するため、位置合わせのためにカバー４０を回転させても、ノズル２０がステム１３に当たることがない。上述のように、本実施形態では、リブ４１ｂは、口部１１の中心軸線Ｏ周りに１８０°回転させた２つの回転位置において開孔３７と位置合わせ可能である。
【００３４】
図６の状態でリブ４１ｂと開孔３７との周方向の位置合わせを行った後、利用者は、カバー４０を下方に移動させる。このとき、カバー４０に対する上下方向への相対変位が規制されているキャップ６０、カバー４０の底部４５に当接しているノズル２０、及びカバー４０にアンダーカット係合により固定された押下げレバー５０も、カバー４０と共に下方に移動する。周方向の位置合わせがなされたカバー４０は、図７に示すように、固定盤３０の雄ねじ部３１ａの最上面にキャップ６０の雌ねじ部６１ａの最下面が当接する位置まで移動する。
【００３５】
図７の状態で、利用者は、キャップ６０の縦目ローレット６５を把持して回転させ、キャップ６０と固定盤３０とをねじ係合させる。このとき、カバー４０は、リブ４１ｂが固定盤３０の開孔３７に嵌合して回転不能である一方、突出部４３と係合突部４１ａの間で天壁６３が係合状態にあるため、キャップ６０のねじ係合に伴いキャップ６０と共に下方に向けて移動する。
【００３６】
キャップ６０と固定盤３０とのねじ係合が進むと、ステム１３がノズル２０の凹部２５ａに当接する。そして、更なるねじ係合によってノズル２０は、カバー４０と共に下降する押下げレバー５０の当接突起５３ａによって下方に押圧され、ステム１３がノズル２０の凹部２５ａにしっかりと嵌合する。そして、キャップ６０と固定盤３０とのねじ係合が完了すると、図３に示すように、カバー４０の突出部４３の下面が固定盤３０の側壁３１の上端に当接し、固定盤３０、カバー４０、及びキャップ６０は完全に固定される。
【００３７】
以上説明したように、本実施形態の吐出容器１は、略円筒形状を有する容器本体１０に固定盤３０がアンダーカットにより固定され、固定盤３０とキャップ６０とがねじ係合によって固定されると共に、カバー４０のリブ４１ｂが固定盤３０の開孔３７に挿入可能となるように構成した。利用者は、キャップ６０を周方向に回転させてねじ係合を解除することによってノズル２０が容器本体１０のステム１３から引き抜かれ、キャップ６０、カバー４０、ノズル２０、及び押下げレバー５０を容器本体１０から上方に離間させることができるため、カバー４０等の取り外しの際に容器本体１０を破損させることがない。また、組み立ての際にも、カバー４０と固定盤３０との周方向の位置が合っているときにのみ、キャップ６０、カバー４０、ノズル２０及び押下げレバー５０を固定盤３０に固定して容器本体１０に近づけることが可能となる。従って、位置合わせを行わずにカバー４０、ノズル２０及び押下げレバー５０を容器本体１０に近づけてステム１３等を破損してしまうことがない。
【００３８】
なお、本実施形態では、カバー４０側にリブ４１ｂ（凸部）を設け、固定盤３０側に開孔３７（凹部）を設けるように構成したが、この態様には限定されない。固定盤３０側に凸部を設けてカバー４０側に凹部を設けてもよい。また、凸部は、筒壁部４１に形成されるリブ４１ｂの構成に限定されるものではなく、例えば下方に突出する突部などであってもよい。更に、凹部は、開孔３７の形状に限定されるものではなく、貫通しない窪み等、凸部が嵌合可能なあらゆる形態を含むものとする。
【００３９】
また、本実施形態によれば、カバー４０の中心軸線Ｏ周りの対称な位置に２つのリブ４１ｂを設けると共に、固定盤３０の中心軸線Ｏ周りの対称な位置に２つの開孔３７を設けるようにした。従って、ノズル２０に設けた凹部２５ａとステム１３の位置が平面視で合致するような２つの回転位置のいずれでも取付け可能に構成されているので、カバー４０の取付け時にカバー４０の前後の向きを合わせる手間を省き、取付け作業の煩雑化を回避することができる。なお、このような対称な構成に代えて、非対称な構成とし、一方向のみで取付けられるようにしてもよい。
【００４０】
なお、前述した実施形態ではリブ４１ｂ（凸部）と開孔３７（凹部）とを２組設けていたが、必ずしもそのような構成に限らず、リブ４１ｂと開孔３７とを１組だけ設けてもよいし、３組以上設けてもよい。
【００４１】
また、本実施形態によれば、カバー４０に上下方向に延びるリブ４１ｂを設け、固定盤３０側にリブ４１ｂが上方から嵌合可能な開孔３７を設けるようにしたので、キャップ６０と固定盤３０のねじ係合を解除した状態でカバー４０を上下方向に移動させるのみで容易に固定盤３０に対して着脱することができる。
【００４２】
また、本実施形態によれば、カバー４０に突出部４３を設けて、突出部４３の上面がキャップ６０の天壁６３の下面に当接するように構成したので、キャップ６０のカバー４０に対する下方向への変位が規制される。この構成によって、カバー４０のリブ４１ｂが固定盤３０の開孔３７に嵌合していない状態では、キャップ６０の雌ねじ部６１ａと固定盤３０の雄ねじ部３１ａとが上下方向に離間するため、カバー４０の位置合わせがなされていない状態でのキャップ６０と固定盤３０とのねじ係合を防止することができる。
【００４３】
また、本実施形態によれば、キャップ６０の外周面に縦目ローレット６５の凹凸を形成するように構成したので、キャップ６０、カバー４０等を固定盤３０から取り外す際にこの縦目ローレット６５を把持することによって手を滑らせることなくキャップ６０を周方向に回転させて取り外しを行うことができる。また、利用者が、この縦目ローレット６５を円周方向に回すことによって吐出容器１を分解可能であることを容易に認識することができる。
【００４４】
前述したところは、本発明の一実施形態を示したにすぎず、特許請求の範囲において、種々の変更を加えてもよいことは言うまでもない。
【００４５】
例えば、本実施形態では、ステム１３が口部１１に２本設けられているが、この態様に限定されるものではなく、３本以上の任意の数のステム１３が設けられていてもよい。
【００４６】
また、押下げレバー５０は、カバー４０とは別体に形成したものを取付けた構成としていたが、カバー４０と一体に形成する構成としてもよい。また、押下げレバー５０を省略して、ノズル２０を指で直接押し下げるように構成してもよい。
【００４７】
さらに、ノズル２０は、カバー４０と別体に構成していたが、例えばヒンジを介してカバー４０に連結された一体の構成としてもよい。また、ノズル２０は、カバー４０の取外しに伴いカバー４０とともに取外される構成としたが、ノズル２０をカバー４０より先に取外せる構成としてもよい。さらに、ノズル２０は、前方ではなく上方に向けて内容物を吐出するように構成することも可能である。
【符号の説明】
【００４８】
１      吐出容器
１０      容器本体
１１      口部
１１ａ    環状凸部
１２      胴部
１３      ステム
２０      ノズル
２１      基部
２２      吐出口
２３      吐出筒部
２５      底部
２５ａ    凹部
２５ｂ    流入孔
３０      固定盤
３１      側壁
３１ａ    雄ねじ部
３１ｂ    突部
３３      肩部ホルダ
３４      段部
３５      上側壁
３６      ステム孔
３７      開孔（凹部）
３８      天壁
４０      カバー
４１      筒壁部
４１ａ    係合突部
４１ｂ    リブ（凸部）
４２      包囲壁部
４２ａ    収容凹部
４３      突出部
４５      底部
５０      押下げレバー
５１      レバー支持部
５２      ヒンジ
５３      押下げ操作部
５３ａ    当接突起
６０      キャップ
６１      筒壁
６１ａ    雌ねじ部
６３      天壁
６３ａ    開口
６５      縦目ローレット
Ｏ        中心軸線
【図１】
0006632928.tif 000002
【図２】
0006632928.tif 000003
【図３】
0006632928.tif 000004
【図４】
0006632928.tif 000005
【図５】
0006632928.tif 000006
【図６】
0006632928.tif 000007
【図７】
0006632928.tif 000008